(57)【要約】      （修正有）【課題】入力ディスクとクラッチディスクとの離脱負荷（作動トルク）が安定し（設定時からの変化が小さくなり）、摩耗が低減して耐久性が向上するクラッチ装置、モータ装置、及びワイパモータを提供する。【解決手段】入力ディスク２８とクラッチディスク３８との回転伝達が切り離される際には、入力ディスク２８とクラッチディスク３８とが完全に離脱するまでの間において両者の相対移動ストロークが次第に大きくなりコイルスプリングの付勢力（押圧力）も増大するが、回転伝達方向Ｒへの分力Ｆｂは小さくなるため、結果的に過負荷作用開始時から完全離脱までの間における作動トルクの上昇が抑えられる。これにより入力ディスク２８とクラッチディスク３８との離脱負荷（作動トルク）が安定する（設定時からの変化が小さくなる）。また同時に、係合凸部３７と係合凹部４２の相対移動ストロークの変化量も次第に減少するため、摩耗が低減して耐久性が向上する。【選択図】図１３
2006308026.tif 000002
【特許請求の範囲】
【請求項１】
ハウジングに回転可能に支持された出力軸と、
前記出力軸に対して回転自在に支持され、駆動力が入力されることによって前記出力軸の軸線周りに回転する入力ディスクと、
前記出力軸に対して軸線周りに回転不能に支持されると共に、前記入力ディスクに対して前記出力軸の軸線方向に対向して配置され、前記出力軸の軸線方向に前記入力ディスクと噛合い係合するクラッチディスクと、
前記入力ディスク及び前記クラッチディスクの何れか一方に前記出力軸の軸線方向に突出形成された係合凸部と、
前記入力ディスク及び前記クラッチディスクの何れか他方に前記係合凸部が噛合うよう凹設形成された係合凹部と、
前記出力軸に対して前記軸線方向に移動可能に支持された前記入力ディスク及び前記クラッチディスクの何れか一方が、前記係合凸部と前記係合凹部との噛合い係合状態から離脱しようとするとき、前記入力ディスク及び前記クラッチディスクの何れか一方に抗力を付与する弾性部材と、
を備えたクラッチ装置において、
前記係合凸部及び前記係合凹部の一方は、前記出力軸の軸線に対し所定角度傾斜する倣い面を有すると共に、前記係合凸部及び前記係合凹部の他方は、前記倣い面に前記出力軸の周方向に線接触して係合する湾曲制御面を有し、
前記湾曲制御面は、前記係合凸部と前記係合凹部との離脱方向に移動するにしたがい前記倣い面との接触位置における面圧力の回転伝達方向への分力が小さくなるよう曲率が徐変された湾曲面である、
ことを特徴とするクラッチ装置。
【請求項２】
ハウジングに回転可能に支持された出力軸と、
前記出力軸に対して軸線方向一側へ抜止め状態でかつ回転自在に支持され、駆動力が入力されることによって前記出力軸の軸線周りに回転する入力ディスクと、
前記入力ディスクに対し前記出力軸の軸線方向他側に位置すると共に前記出力軸に対して軸線周りに回転不能でかつ軸線方向に移動可能に支持され、前記出力軸の軸線方向に前記入力ディスクと噛合い係合するクラッチディスクと、
前記入力ディスク及び前記クラッチディスクの何れか一方に前記出力軸の軸線方向に突出形成された係合凸部と、
前記入力ディスク及び前記クラッチディスクの何れか他方に前記係合凸部が噛合うよう凹設形成された係合凹部と、
前記クラッチディスクの前記出力軸の軸線方向他側に配置され、前記係合凸部と前記係合凹部との噛合い係合状態からの前記クラッチディスクの前記出力軸軸線方向他側へ向けた前記軸方向移動に対して抗力を付与する弾性部材と、
を備えたクラッチ装置において、
前記係合凸部及び前記係合凹部の一方は、前記出力軸の軸線に対し所定角度傾斜する倣い面を有すると共に、前記係合凸部及び前記係合凹部の他方は、前記倣い面に前記出力軸の周方向に線接触して係合する湾曲制御面を有し、
前記湾曲制御面は、前記係合凸部と前記係合凹部との離脱方向に移動するにしたがい前記倣い面との接触位置における面圧力の回転伝達方向への分力が小さくなるよう曲率が徐変された湾曲面である、
ことを特徴とするクラッチ装置。
【請求項３】
前記入力ディスク及び前記クラッチディスクは、前記倣い面を有する側よりも前記湾曲制御面を有する側を高い硬度に設定した、
ことを特徴とする請求項１または請求項２記載のクラッチ装置。
【請求項４】
前記湾曲制御面は、前記倣い面との接触位置における接線と前記出力軸の軸線に垂直な平面との成す角度が前記係合凸部と前記係合凹部との離脱方向に移動するにしたがい徐々に小さくなるよう形状設定されている、
ことを特徴とする請求項１乃至請求項３の何れか１項に記載のクラッチ装置。
【請求項５】
前記弾性部材は、前記出力軸の軸線周りに巻き回され前記出力軸の軸線方向に圧縮可能なコイルスプリングであり、該コイルスプリングは、前記出力軸の径方向に大径とされた軸方向移動不能な大径部と前記クラッチディスクとの間に配置されている、
ことを特徴とする請求項１乃至請求項４の何れか１項に記載のクラッチ装置。
【請求項６】
前記入力ディスク及び前記クラッチディスクの少なくとも一方は、焼結金属材料にて構成され、該焼結金属内に潤滑油が含油されている、
ことを特徴とする請求項１乃至請求項５の何れか１項に記載のクラッチ装置。
【請求項７】
請求項１乃至請求項６の何れか１項に記載のクラッチ装置と、モータ本体と、を備え、
前記クラッチ装置の前記入力ディスクは、前記モータ本体の回転軸に設けたウォームギヤに噛合して減速回転する、
ことを特徴とするモータ装置。
【請求項８】
請求項１乃至請求項６の何れか１項に記載のクラッチ装置と、
モータ本体と、
前記モータ本体の回転軸に設けられたウォームギヤと、前記ウォームギヤに噛合して前記回転軸の軸線と垂直な回転軸周りに回転するウォームホイールと、前記ウォームホイールの前記回転軸と異なる位置に一端が連結されると共に他端が前記クラッチ装置の前記入力ディスクに係合し前記ウォームホイールの回転によって往復揺動されることで前記入力ディスクを往復回転駆動する揺動部材と、を有する運動変換機構と、
を備え、
前記出力軸に直接的にまたは間接的に連結されたワイパを往復駆動する、
ことを特徴とするワイパモータ。
【請求項９】
前記クラッチ装置は、前記係合凸部と前記係合凹部との係合状態が離脱するまでの間において前記出力軸周りの回転トルクのピーク値が７Ｎ・ｍ〜２０Ｎ・ｍに設定されている、
ことを特徴とする請求項８記載のワイパモータ。
【発明の詳細な説明】
【技術分野】
【０００１】
本発明は、クラッチ装置、モータ装置、及びワイパモータに関する。
【背景技術】
【０００２】
車両のウインドガラスを払拭するワイパ装置に適用されるワイパモータのうち、揺動機構を内蔵すると共に出力軸にワイパブレードが連結されたワイパアームが固定され、払拭面を往復払拭するワイパモータが知られている。
【０００３】
この種のワイパモータでは、ワイパアームの動作が妨げられワイパモータの出力軸に過大負荷が作用すると、内蔵されている揺動機構や減速機構が損傷される恐れがあり、このような過大負荷の作用を想定してこれら機構を構成する各部材の強度設計を行う必要があった。
【０００４】
これを防止するために、揺動機構を内蔵したワイパモータの出力軸に更にクラッチ装置を内蔵して、上記各機構を構成する各部材を、過大な負荷の作用を想定した過剰な強度を要しない構成とした小型軽量で安価なワイパモータを既に本出願人が提案している。
【０００５】
前記内蔵されたクラッチ装置は、回転駆動力を伝達するため入力ディスクとクラッチディスクとを有し、それらは互いに出力軸の軸線方向に噛合係合することで出力軸の軸線周りに回転駆動力が伝達されるようになっている。そして、所定値以上の過負荷が出力軸に作用すると入力ディスクに入力される回転駆動力によって、入力ディスクとクラッチディスクとの噛合係合を維持する付勢部材の付勢力に抗して出力軸の軸線方向に分力が作用し、係合凸部と係合凹部とが係合を離脱し両者が空転して過負荷から各部材の損傷を防止するようにしている。
【０００６】
このような入力ディスクとクラッチディスクの係合凸部と係合凹部とは、単純な噛合係合（特許文献１参照）、詳しくは、回転方向の回転力伝達面、すなわち過負荷作用時に係合面の傾斜（回転力作用方向に対して上り斜面）によって軸線方向上方に分力を生じさせるが、その係合面同士が共に面接触しており、回転方向への伝達力を強固なものとしている。
【０００７】
しかしながら、前述の如き過負荷作用時に入力ディスクとクラッチディスクとが付勢部材の付勢力に抗して離脱方向に相対移動すると、入力ディスクとクラッチディスクとが完全に離脱するまでの間は両者の相対移動ストロークが次第に大きくなり、それに伴い付勢部材の付勢力（押圧力）も次第に増大するため、過負荷作用開始時から完全離脱までの間で作動トルクも次第に上昇することになる。
【０００８】
さらに、係合凸部と係合凹部の係合面同士が共に面接触する場合には、両者間の摩擦力はバラツキ易く、上記付勢部材の付勢力（押圧力）の増大に伴い前記バラツキはより顕著となり、作動トルクが不安定なものとなっていた。
【特許文献１】実案第２５０５８８１号公報
【発明の開示】
【発明が解決しようとする課題】
【０００９】
本発明は上記事実を考慮し、入力ディスクとクラッチディスクとの離脱負荷（作動トルク）が安定し（設定時からの変化が小さくなり）、摩耗が低減して耐久性が向上するクラッチ装置、モータ装置、及びワイパモータを提供することを目的とする。
【課題を解決するための手段】
【００１０】
請求項１に係る発明のクラッチ装置は、ハウジングに回転可能に支持された出力軸と、前記出力軸に対して回転自在に支持され、駆動力が入力されることによって前記出力軸の軸線周りに回転する入力ディスクと、前記出力軸に対して軸線周りに回転不能に支持されると共に、前記入力ディスクに対して前記出力軸の軸線方向に対向して配置され、前記出力軸の軸線方向に前記入力ディスクと噛合い係合するクラッチディスクと、前記入力ディスク及び前記クラッチディスクの何れか一方に前記出力軸の軸線方向に突出形成された係合凸部と、前記入力ディスク及び前記クラッチディスクの何れか他方に前記係合凸部が噛合うよう凹設形成された係合凹部と、前記出力軸に対して前記軸線方向に移動可能に支持された前記入力ディスク及び前記クラッチディスクの何れか一方が、前記係合凸部と前記係合凹部との噛合い係合状態から離脱しようとするとき、前記入力ディスク及び前記クラッチディスクの何れか一方に抗力を付与する弾性部材と、を備えたクラッチ装置において、前記係合凸部及び前記係合凹部の一方は、前記出力軸の軸線に対し所定角度傾斜する倣い面を有すると共に、前記係合凸部及び前記係合凹部の他方は、前記倣い面に前記出力軸の周方向に線接触して係合する湾曲制御面を有し、前記湾曲制御面は、前記係合凸部と前記係合凹部との離脱方向に移動するにしたがい前記倣い面との接触位置における面圧力の回転伝達方向への分力が小さくなるよう曲率が徐変された湾曲面である、ことを特徴としている。
【００１１】
請求項１記載のクラッチ装置は、通常の使用状態では、入力ディスク及びクラッチディスクの係合凸部と係合凹部とが噛合い係合しており、しかも、この係合凸部と係合凹部との噛合い係合状態から離脱しようとしても弾性部材によって所定の抗力が付与されるので、前記噛合い係合状態が維持される。このため、入力ディスクに駆動力が入力されて出力軸周りに回転すると、係合凸部及び係合凹部を介して入力ディスクからクラッチディスクへ回転駆動力が伝達される。そして、クラッチディスクは、出力軸に対して軸線周りに回転不能に支持されているため、クラッチディスクへ伝達された回転駆動力はクラッチディスクから出力軸へと伝達されて、このクラッチディスクと一体で出力軸が回転される。
【００１２】
一方、例えば、出力軸に過大外力（荷重）が作用すると、出力軸が逆転もしくは拘束されることになる。すると、出力軸と一体回転するクラッチディスクには、入力ディスクと相対回転する方向に回転力が作用する。この回転力の一部は、入力ディスク及び／またはクラッチディスクを出力軸軸線方向に移動させて係合凸部と係合凹部との噛合い係合を解除しようとする分力として作用し（出力軸の軸線方向に沿った分力が生じる）、当該回転力（分力）が所定値以上となると、弾性部材により付与される抗力に打ち勝って、入力ディスク及び／またはクラッチディスクが出力軸軸線方向に強制的に移動されて（倣い面が湾曲制御面に倣って係合離脱方向に相対移動し）係合凸部と係合凹部の前記噛合い係合状態が解除され、入力ディスクとクラッチディスクとの回転伝達が切り離され、クラッチディスクすなわち出力軸は入力ディスクに対して空転する（相対回転する）。
【００１３】
これにより、各部品の損傷や入力ディスクに接続された例えばモータの焼損等を防止することができる。またさらに、このような過大な外力（荷重）の作用を想定した各部品の強度設定を行う必要がなくなる。
【００１４】
またここで、入力ディスクとクラッチディスクとの回転伝達が切り離される際、すなわち、係合凸部と係合凹部の噛合い係合が離脱解除される際には、入力ディスクとクラッチディスクとが完全に離脱するまでの間においては両者の相対移動ストロークが次第に大きくなり、それに伴い弾性部材の付勢力（押圧力）も次第に増大するため、係合凸部と係合凹部の噛合い係合部位における面圧力が増大して摩擦力が増大し、過負荷作用開始時から完全離脱までの間で作動トルクも次第に上昇することになる。
【００１５】
この点、請求項１記載のクラッチ装置では、湾曲制御面は、係合凸部と係合凹部との離脱方向に移動するにしたがい倣い面との接触位置における面圧力の回転伝達方向への分力が小さくなるよう曲率が徐変された湾曲面であるため、弾性部材の付勢力（押圧力）が増大しても接触位置における面圧力の回転伝達方向への分力が小さくなるので、結果的に過負荷作用開始時から完全離脱までの間における作動トルクの上昇が抑えられる。これにより、入力ディスクとクラッチディスクとの離脱負荷（作動トルク）が安定する（設定時からの変化が小さくなる）。また同時に、係合凸部と係合凹部の相対移動ストロークの変化量、つまり付勢力（押圧力）の変化量が徐変された湾曲制御面（湾曲面）により滑らかに減少するので、摩耗が低減して耐久性が向上する
請求項２に係る発明のクラッチ装置は、ハウジングに回転可能に支持された出力軸と、前記出力軸に対して軸線方向一側へ抜止め状態でかつ回転自在に支持され、駆動力が入力されることによって前記出力軸の軸線周りに回転する入力ディスクと、前記入力ディスクに対し前記出力軸の軸線方向他側に位置すると共に前記出力軸に対して軸線周りに回転不能でかつ軸線方向に移動可能に支持され、前記出力軸の軸線方向に前記入力ディスクと噛合い係合するクラッチディスクと、前記入力ディスク及び前記クラッチディスクの何れか一方に前記出力軸の軸線方向に突出形成された係合凸部と、前記入力ディスク及び前記クラッチディスクの何れか他方に前記係合凸部が噛合うよう凹設形成された係合凹部と、前記クラッチディスクの前記出力軸の軸線方向他側に配置され、前記係合凸部と前記係合凹部との噛合い係合状態からの前記クラッチディスクの前記出力軸軸線方向他側へ向けた前記軸方向移動に対して抗力を付与する弾性部材と、を備えたクラッチ装置において、前記係合凸部及び前記係合凹部の一方は、前記出力軸の軸線に対し所定角度傾斜する倣い面を有すると共に、前記係合凸部及び前記係合凹部の他方は、前記倣い面に前記出力軸の周方向に線接触して係合する湾曲制御面を有し、前記湾曲制御面は、前記係合凸部と前記係合凹部との離脱方向に移動するにしたがい前記倣い面との接触位置における面圧力の回転伝達方向への分力が小さくなるよう曲率が徐変された湾曲面である、ことを特徴としている。
【００１６】
請求項２記載のクラッチ装置は、前記請求項１記載のクラッチ装置と同様の作用及び効果を奏する。
【００１７】
またさらに、前述の如く、係合凸部と係合凹部との噛合い係合状態維持のために当該噛合い係合状態からのクラッチディスクの軸線方向移動に対して付与される弾性部材による抗力は、出力軸とこの出力軸に対して軸線方向一側へ抜止め状態で支持された入力ディスクとで受け止められる。すなわち、出力軸に取り付けられた構成部品（入力ディスク）によって、前記噛合い係合状態維持のための力が受け止められる。すなわち、当該クラッチ装置は、「出力軸のサブアッセンブリ」として完結する構成のものであり、ハウジングなどの他の部品等に依存して完結する構成のものでない。したがって、当該クラッチ装置を、「出力軸サブアッセンブリ」とした１つの部品として取扱いができる。
【００１８】
請求項３に係る発明のクラッチ装置は、請求項１または請求項２記載のクラッチ装置において、前記入力ディスク及び前記クラッチディスクは、前記倣い面を有する側よりも前記湾曲制御面を有する側を高い硬度に設定した、ことを特徴としている。
【００１９】
請求項３記載のクラッチ装置では、入力ディスクとクラッチディスク（係合凸部と係合凹部）は、湾曲制御面を有する側の硬度が倣い面を有する側の硬度よりも高硬度となるように設定されているので、係合凸部と係合凹部との（倣い面と湾曲制御面との）離脱が繰り返された場合には、湾曲制御面を有する側の摩耗は、倣い面を有する側の摩耗よりも少ない（摩耗の進み度合いが遅い）。しかも、この湾曲制御面を有する側は、倣い面を有する側に対して前記線接触による係合状態のままで維持される。したがって、係合凸部と係合凹部のうち湾曲制御面を有する側は、設定当初の凸部形状または凹部形状からの形状変化が小さくなる。そのため、係合凸部と係合凹部が線接触して前記湾曲制御面の形状に倣った前記分力の作用によって互いに離脱して噛合い係合状態が解除される際の離脱に要する負荷の変化も小さくなる。よって、クラッチ動作の設定負荷変動が長期に渡り安定する。
【００２０】
請求項４に係る発明のクラッチ装置は、請求項１乃至請求項３の何れか１項に記載のクラッチ装置において、前記湾曲制御面は、前記倣い面との接触位置における接線と前記出力軸の軸線に垂直な平面との成す角度が前記係合凸部と前記係合凹部との離脱方向に移動するにしたがい徐々に小さくなるよう形状設定されている、ことを特徴としている。
【００２１】
請求項４記載のクラッチ装置では、係合凸部と係合凹部とが出力軸の周方向に線接触で係合する係合面形状であるので、係合凸部と係合凹部とは湾曲制御面に倣って軸線方向に離脱する。そのため、湾曲制御面の湾曲形状を調整することにより入力ディスクとクラッチディスクとのクラッチ動作特性を設定でき、しかもこの湾曲形状が倣い面との接触位置における接線と出力軸の軸線に垂直な平面との成す角度が係合凸部と係合凹部との離脱方向に移動するにしたがい徐々に小さくなるよう形状設定されているため、接触点における面圧力の回転伝達方向への分力が減少され、摩耗が少なく形状変化が小さいのでクラッチ動作特性の変化が小さいものとすることができる。
【００２２】
請求項５に係る発明のクラッチ装置は、請求項１乃至請求項４の何れか１項に記載のクラッチ装置において、前記弾性部材は、前記出力軸の軸線周りに巻き回され前記出力軸の軸線方向に圧縮可能なコイルスプリングであり、該コイルスプリングは、前記出力軸の径方向に大径とされた軸方向移動不能な大径部と前記クラッチディスクとの間に配置されている、ことを特徴としている。
【００２３】
請求項５記載のクラッチ装置では、弾性部材は、出力軸回りに巻き回され出力軸の軸線方向に圧縮可能なコイルスプリングであるので、バネ特性が安定的である。すなわち、例えば、弾性部材がゴム部材の場合、クラッチ装置に塗布されたグリス等が当該ゴム部材に付着して劣化する恐れがあるが、コイルスプリングの場合には、グリス等の付着による劣化の恐れがないためバネ特性が安定的である。しかも、このコイルスプリングは、出力軸の径方向に大径とされた軸方向移動不能な大径部と、クラッチディスクとの間に配置されているため、クラッチディスクを入力ディスクに対して安定的に押圧できると共に安定的な抗力を付与できる。
【００２４】
請求項６に係る発明のクラッチ装置は、請求項１乃至請求項５の何れか１項に記載のクラッチ装置において、前記入力ディスク及び前記クラッチディスクの少なくとも一方は、焼結金属材料にて構成され、該焼結金属内に潤滑油が含油されている、ことを特徴としている。
【００２５】
請求項６記載のクラッチ装置では、前記焼結金属内に潤滑油を含油しているので自己潤滑性を持たせることができ、摩耗および異音発生を防止できる。
【００２６】
一方、請求項７に係る発明のモータ装置は、請求項１乃至請求項６の何れか１項に記載のクラッチ装置と、モータ本体と、を備え、前記クラッチ装置の前記入力ディスクは、前記モータ本体の回転軸に設けたウォームギヤに噛合して減速回転する、ことを特徴としている。
【００２７】
請求項７記載のモータ装置では、請求項１乃至請求項６の何れか１項に記載のクラッチ装置が有する効果と同様の効果を奏し、静粛で摺動ロスの少ない高効率のモータ装置となる。
【００２８】
しかも、入力ディスクは、モータ本体の回転軸に設けたウォームギヤに噛合して減速回転されるため、出力軸を大きなトルクで駆動することができ、例えば、車両のワイパ装置やサンルーフ装置の駆動源として好適である。特にこの場合、例えばワイパ装置の駆動源（ワイパモータ）として適用した場合には、過大な外力（荷重）が作用したときの出力軸以降の駆動力伝達部品（ウォームギヤ等の減速機構、モータ本体の回転軸からアーマチャ側に向けての構成等）を保護することができる。しかも出力軸に固定または連結されたワイパアーム等（被駆動部材）も、クラッチ装置による空転により衝撃が吸収されるので破損から保護することもできる。
【００２９】
また、請求項８に係る発明のワイパモータは、請求項１乃至請求項６の何れか１項に記載のクラッチ装置と、モータ本体と、前記モータ本体の回転軸に設けられたウォームギヤと、前記ウォームギヤに噛合して前記回転軸の軸線と垂直な回転軸周りに回転するウォームホイールと、前記ウォームホイールの前記回転軸と異なる位置に一端が連結されると共に他端が前記クラッチ装置の前記入力ディスクに係合し前記ウォームホイールの回転によって往復揺動されることで前記入力ディスクを往復回転駆動する揺動部材と、を有する運動変換機構と、を備え、前記出力軸に直接的にまたは間接的に連結されたワイパを往復駆動する、ことを特徴としている。
【００３０】
請求項８記載のワイパモータでは、請求項１乃至請求項６の何れか１項に記載のクラッチ装置が有する効果と同様の効果を奏し、静粛で摺動ロスの少ない高効率のワイパ駆動用モータとなる。
【００３１】
しかも、入力ディスクは、モータ内に内蔵された運動変換機構（ウォームギヤ、ウォームホイール、及び揺動部材）によって減速往復回転駆動されるため、出力軸を大きなトルクで駆動することができ、出力軸に連結されたワイパを好適に往復駆動することができる。
【００３２】
また、上記クラッチ装置を設けたことにより、過大な外力（荷重）が作用したときの出力軸以降の駆動力伝達部品（揺動部材、ウォームホイール、ウォームギヤ、モータ本体等の出力軸からアーマチャ側に向けての構成）を保護することができる。しかも出力軸に連結されたワイパも、クラッチ装置による空転により衝撃が吸収されるので破損から保護することもできる。
【００３３】
請求項９に係る発明のワイパモータは、請求項８記載のワイパモータにおいて、前記クラッチ装置は、前記係合凸部と前記係合凹部との係合状態が離脱するまでの間において前記出力軸周りの回転トルクのピーク値が７Ｎ・ｍ〜２０Ｎ・ｍに設定されている、ことを特徴としている。
【００３４】
係合凸部と係合凹部との係合状態が離脱するまでの間における出力軸周りの回転トルクが７Ｎ・ｍより小さいと、ウインドシールドガラス面が所謂セミドライ状態などワイパブレードの通常の払拭負荷にてクラッチが安易に切り離されてしまう恐れがあり、一方、前記回転トルクが２０Ｎ・ｍより大きいと揺動機構などの内部部品の強度をアップさせる必要があり、部材の低コスト化の妨げとなる。
【００３５】
この点、請求項９記載のワイパモータでは、前記回転トルクを好適な範囲に設定したため、前述の如き不具合が生じない。
【発明を実施するための最良の形態】
【００３６】
図１及び図２には、本発明の実施の形態に係るワイパモータ９０の全体構成が斜視図にて示されており、図３には、このワイパモータ９０の構成が分解斜視図にて示されている。さらに、図４乃至図８には、ワイパモータ９０の構成が断面図にて示されている。
【００３７】
ワイパモータ９０は、車両のワイパ装置を駆動するためのワイパ駆動用モータとされており、モータ本体９２、揺動機構９４、及びクラッチ装置１０を備えている。
【００３８】
図４及び図６に示す如く、モータ本体９２は、ヨークハウジング９８を備えている。ヨークハウジング９８は、軸線方向一端部が絞り加工された有底でしかも回転軸１１０の直交方向断面が出力軸１２の軸線方向を短手方向とする偏平形状の筒状に形成されており、開口側がハウジング９６に一体的に取り付けられている。ヨークハウジング９８の底壁１００には、軸受１０２が配置されている。一方、ヨークハウジング９８の他端部には、絶縁樹脂製のエンドハウジング１０４が固定されている。
【００３９】
また、エンドハウジング１０４の中央部分には軸受１０６が配置されている。この軸受１０６及びヨークハウジング９８の軸受１０２とによってアーマチャ１０８の回転軸１１０が支持されアーマチャ１０８がヨークハウジング９８内に収容されている。アーマチャ１０８に対向するヨークハウジング９８の内周壁にはマグネット１１２が固着されている。
【００４０】
エンドハウジング１０４には、ブラシケースを介してブラシ１１４が保持されている。ブラシ１１４は角柱状に形成されており、アーマチャ１０８のコンミテータ１１６に圧接されている。また、ブラシ１１４からは連結用ピッグテール１１８が引き出されており、ピッグテール１１８の先端部は、給電用の接続線に接続されている。
【００４１】
モータ本体９２（アーマチャ１０８）の回転軸１１０は、カップリング１２０によって揺動機構９４のウォームギヤ１２２に連結されている。
【００４２】
ウォームギヤ１２２は、その一端部が軸受１２４を介してハウジング９６に回転自在に支持されると共に、他端部は軸受１２６を介してハウジング９６に回転自在に支持されている。このウォームギヤ１２２は、ウォームホイール１２８に噛み合っている。
【００４３】
ウォームホイール１２８は、ウォームギヤ１２２の軸線に対し一側側に配置され、ウォームギヤ１２２に噛合した状態でハウジング９６内に収容されており、ウォームギヤ１２２（回転軸１１０）の軸線と垂直な回転軸１３０回りに回転する。
【００４４】
また、ウォームホイール１２８には、揺動部材としてのセクタギヤ１３２が連結されている。セクタギヤ１３２は、ウォームホイール１２８の回転軸１３０と異なる位置（径方向に変位した位置）に設けられた支軸（クランクピン）１３４によって一端が回転自在に連結されると共に、他端には噛合部としての歯部１３６が形成されている。この歯部１３６は、後述するクラッチ装置１０の入力ディスク２８に係合（噛合）している。
【００４５】
またさらに、セクタギヤ１３２の厚さ方向一方側（ウォームホイール１２８と反対側）には、保持レバー１３８が配置されている。この保持レバー１３８は、その一端がセクタギヤ１３２の歯部１３６における揺動中心軸１４０（歯部１３６のピッチ円の中心に設けられた支軸）に連結されており、その他端がハウジング９６に回転自在に支持された出力軸１２に回転自在に連結されている。これにより、揺動中心軸１４０と出力軸１２との軸間距離（軸間ピッチ）が維持され、セクタギヤ１３２と入力ディスク２８との出力軸１２径方向に沿った噛合い状態が維持される。こうして、ウォームホイール１２８が回転することによってセクタギヤ１３２が往復揺動され、このセクタギヤ１３２の往復揺動動作によって、後述する入力ディスク２８が往復回転駆動される構成である。
【００４６】
なお、保持レバー１３８のセクタギヤ１３２とは反対側には、樹脂材料等からなる摺動部材１４７が取り付けられており、この摺動部材１４７は、ハウジング９６の裏側を閉塞するカバー１４８に摺動可能に当接している。これにより、保持部材１３８の厚さ方向（出力軸１２の軸線方向）に沿った移動が制限されている。また、出力軸１２はウォームギヤ１２２の軸線に対しウォームホイール１２８と反対側に配置されているため、ウォームホイール１２８に一端が連結されたセクタギヤ１３２はウォームギヤ１２２の軸線と交差状態（ねじれの位置の状態）で配置され他端の歯部１３６が入力ディスク２８に噛合している。
【００４７】
一方、図９及び図１０に示す如く、出力軸１２は、先端側（図９及び図１０では上側）が断面円形に形成されて円柱部１３とされ、基端側（図９及び図１０では下側）が断面略矩形（周方向において互いに１８０度反対側に形成された一対の平面と、これらの平面に連続する一対の円周面とを備えた所謂「断面ダブルＤカット形状」）に形成されて相対回転規制部１４とされている。
【００４８】
出力軸１２の円柱部１３は、図５及び図７に示す如く、ハウジング９６に固定された軸受部材５０によって回転自在に支持されている。一方、相対回転規制部１４の先端側（円柱部１３側）には、前記円周面とされた部分に軸線方向に沿った複数の突条が形成されて回止部１６が設けられており、基端部突端には抜止部１８が設けられている。
【００４９】
相対回転規制部１４の回止部１６には、出力軸１２の径方向に大径とされた大径部としての係合ベース２０が出力軸１２と同軸的に固着されている。係合ベース２０は、中央部分に出力軸１２の相対回転規制部１４に対応する断面略矩形（断面ダブルＤカット形状）の支持孔２２が形成された円盤状に形成されており、支持孔２２が回止部１６に固着されることで常に出力軸１２と一体回転する（出力軸１２に対して軸線方向移動不能とされる）。また、係合ベース２０の周縁には、径方向（出力軸１２の径方向）に突出するストッパ部２６が設けられている。このストッパ部２６は、ハウジング９６に形成された後述するストッパ突起１４２に対応している。
【００５０】
なお、前述の如く出力軸１２と係合ベース２０とを別体に形成して固着する構成に限らず、例えば、冷間鍛造等により出力軸１２と係合ベース２０とを一体に形成する構成（出力軸にツバ状の大径部を一体に形成する構成）としてもよい。
【００５１】
一方、相対回転規制部１４の抜止部１８には、前述した入力ディスク２８が出力軸１２と同軸的に取り付けられている。入力ディスク２８は、中央部分に断面円形の軸孔３０が形成された円筒状に形成されており、軸孔３０に出力軸１２の抜止部１８が挿通すると共に抜止部１８の突端に取り付けられた抜止めクリップ３２によって抜け止めされることで、出力軸１２に対して軸線方向一側（係合ベース２０と反対側）へ抜止め状態でかつ回転自在に支持されている。この入力ディスク２８は、本実施の形態では、粉末合金を成型金型に入れ、圧縮成形し、加熱焼結する所謂「粉末冶金法」により製造された焼結金属であり、該焼結金属内に潤滑油が含油されている。
【００５２】
入力ディスク２８の軸線方向一端側（係合ベース２０とは反対側）の外周には、ギヤ歯３４が形成されている。このギヤ歯３４は、前述した揺動機構９４のセクタギヤ１３２の歯部１３６に噛合しており、セクタギヤ１３２から駆動力が入力されると、入力ディスク２８が出力軸１２周りに回転するようになっている。
【００５３】
また、図１０に示す如く、入力ディスク２８には、ギヤ歯３４の軸線方向他端側（係合ベース２０側、前述した保持レバー１３８とは反対側）において、ギヤ歯３４の端部を連結する連結壁３５が形成されている。この連結壁３５は、図１１に示す如く、保持レバー１３８と共にセクタギヤ１３２の歯部１３６を厚さ方向両側で挟み込んでいる（連結壁３５が、歯部１３６厚さ方向一方側の端面に対向すると共に、保持レバー１３８が歯部１３６の厚さ方向他方側の端面に対向することで、セクタギヤ１３２の歯部１３６における厚さ方向の移動が制限されている）。
【００５４】
さらに、入力ディスク２８は、連結壁３５を介してギヤ歯３４とは反対側の外周が、出力軸１２と同心の円周面３６とされており、この円周面３６は、図５及び図７に示す如く、ハウジング９６に固定された軸受部材５２によって回転可能に保持（支持）されている。すなわち、入力ディスク２８は、ギヤ歯３４の軸線方向他端側に出力軸１２と同軸的な円盤状のツバ部を備えており、このツバ部の外周面（円周面３６）が、軸受部材５２に支持されている。
【００５５】
またさらに、入力ディスク２８の軸線方向他端側（係合ベース２０の側、出力軸１２の軸線方向他側）の端面には、その周縁部に係合ベース２０側へ向けて突出する４つの係合凸部３７が設けられている。これら４つの係合凸部３７は、入力ディスク２８に対して同心状に配置されると共に、入力ディスク２８の周方向に沿って互いに等間隔にならないように（周方向に沿って隣接する間隔がそれぞれ異なるように）配置されている。これらの係合凸部３７は、後述するクラッチディスク３８の係合凹部４２に対応している。
【００５６】
一方、出力軸１２の相対回転規制部１４には、前述した係合ベース２０と入力ディスク２８との間において、クラッチディスク３８が出力軸１２と同軸的に支持されている。クラッチディスク３８は、相対回転規制部１４に対応する断面略矩形（断面ダブルＤカット形状）の軸孔４０が中央部分に形成された円盤状に形成されており、軸孔４０に出力軸１２（相対回転規制部１８）が挿通することで、入力ディスク２８に対し出力軸１２の軸線方向他側（後述するコイルスプリング４４の側）に位置すると共に、出力軸１２に対して軸線周りに回転不能でかつ軸線方向に沿って移動可能に支持されている。これにより、クラッチディスク３８は、常に出力軸１２と一体的に回転すると共に、入力ディスク２８に対して出力軸１２の軸線方向に沿って相対移動可能となっている。このクラッチディスク３８は、本実施の形態では、前述した所謂「粉末冶金法」により製造された焼結金属であり、該焼結金属内に潤滑油が含油されている。
【００５７】
クラッチディスク３８の裏面側（入力ディスク２８の側、出力軸１２の軸線方向一側）には、その周縁部において４つの係合凹部４２が凹設して（窪んで）設けられている。これらの係合凹部４２は、入力ディスク２８の前述した４つの係合凸部３７に対応しており、クラッチディスク３８に対して同心状に配置されると共に、クラッチディスク３８の周方向に沿って互いに等間隔にならないように（周方向に沿って隣接する間隔がそれぞれ異なるように）配置されている。
【００５８】
これら４つの係合凹部４２には、入力ディスク２８の４つの係合凸部３７がそれぞれ嵌入可能となっている（すなわち、クラッチディスク３８は、入力ディスク２８に噛合係合可能となっている）。これにより、通常の使用状態（回転状態）では、入力ディスク２８が回転した場合にこの入力ディスク２８の回転力がクラッチディスク３８へ伝達されてクラッチディスク３８が供に回転される構成である。
【００５９】
但し、前述した如く、各係合凸部３７と各係合凹部４２とは、それぞれ入力ディスク２８及びクラッチディスク３８の周方向に沿って等間隔にならないように（隣接する間隔がそれぞれ異なるように）設けられているため、クラッチディスク３８（出力軸１２及びワイパ）と入力ディスク２８とは、周方向に沿った相対関係位置が所定の一位置にあるときにのみ噛合係合するようになっている。すなわち、上記所定の一位置以外の位置では、１個の係合凸部３７が係合凹部４２に対応しても、他の３個の係合凸部３７は係合凹部４２に対応しないようになっている。したがって、係合凸部３７が係合凹部４２から抜け出した状態では、クラッチディスク３８は、少なくとも３個の係合凸部３７を介して入力ディスク２８と接触するようになっている（３点支持状態となる構成である）。
【００６０】
またここで、図１２に示す如く、入力ディスク２８の係合凸部３７と、クラッチディスク３８の係合凹部４２とは、それぞれ周方向端縁（側壁部分）が、各部材軸線ＣＬ（出力軸１２の軸線）を通る径方向直線Ｋ上に一致した形状（すなわち、扇状に径方向外側へ開いた形状）に形成されている。これにより、係合凸部３７と係合凹部４２との接触部分のうち径方向内側と径方向外側とで一様な面圧となる（摺動によるヘルツ接触面圧が軽減する）ように構成されている。
【００６１】
さらにここで、入力ディスク２８の係合凸部３７とクラッチディスク３８の係合凹部４２とはそれぞれ断面形状が所謂略台形に形成されているが、本実施の形態においては、入力ディスク２８の係合凸部３７は、その台形状左右両側にそれぞれ倣い面５１を有しており、また、クラッチディスク３８の係合凹部４２は、その台形状左右両側にそれぞれ湾曲制御面５３を有している。すなわち、図１３に示す如く、係合凸部３７のそれぞれの倣い面５１は、クラッチディスク３８（出力軸１２）の軸線に対し所定角度θ（所謂、クラッチ作動トルクに必要な動作角度：本実施の形態においては、例えば、「５４．４°」）傾斜して形成されている。
【００６２】
なお、図１３は、係合凸部３７及び係合凹部４２の構成を示す断面図であるが、説明を解り易くするため、敢えて「ハッチング」を省略して示してある。
【００６３】
また一方、係合凹部４２の湾曲制御面５３は、係合凸部３７の倣い面５１に入力ディスク２８（出力軸１２）の周方向に線接触して（図１３に示す軸線方向断面視においては、接点Ｓにて点接触して）係合するように湾曲して形成されている。すなわち、この湾曲制御面５３は、係合凸部３７と係合凹部４２との離脱方向（図１３の矢印ＵＰ方向）に移動するにしたがい倣い面５１との接触位置における面圧力（図１３において、実線矢印Ｆにて示す）の回転伝達方向（図１３において、矢印Ｒにて示す）への分力（図１３において、矢印Ｆｂにて示す）が小さくなるよう曲率が徐変された湾曲面とされている。さらに詳細には、図１３に示す如く、この湾曲制御面５３は、倣い面５１との接触位置における接線（図１３においては、３つの接線Ｓ１乃至接線Ｓ３を例示している）と出力軸１２の軸線に垂直な平面との成す角度が係合凸部３７と係合凹部４２との離脱方向に移動するにしたがい徐々に小さくなるよう形状設定されている。すなわち、曲率が徐変する湾曲面とされた湾曲制御面５３は、後に詳述するコイルスプリング４４の収縮ストロークが増大しても作動トルクが殆ど変化しないよう（すなわち、略一定のフラットトルクとなるよう）、その曲率（前記徐変の度合い）が設定されている。
【００６４】
以上により、入力ディスク２８が回転しこの入力ディスク２８からクラッチディスク３８への回転伝達力（またはクラッチディスク３８が外力により入力ディスク２８に対して回転しようとする力）によって、倣い面５１と湾曲制御面５３とは前記軸線方向に前記回転駆動力の分力を発生させ、クラッチディスク３８に出力軸１２軸線方向に沿った（コイルスプリング４４を収縮する方向へ）移動力が生じる構成となっている。
【００６５】
またしかも、入力ディスク２８とクラッチディスク３８とは、前記倣い面５１を有する側（すなわち、係合凸部３７が形成された入力ディスク２８）よりも、前記湾曲制御面５３を有する側（すなわち、係合凹部４２が形成されたクラッチディスク３８）のほうが高い硬度とされている。このため、湾曲制御面５３を有する側の摩耗は、倣い面５１を有する側の摩耗よりも少なく（摩耗進行が遅い）、前記の如く摩耗しても、係合凹部４２の湾曲制御面５３は、その湾曲面の形状が維持され、係合凸部３７の倣い面５１とは前記線接触による係合状態が維持される構成となっている。
【００６６】
なお、本実施の形態においては、例えば、倣い面５１を有する係合凸部３７（入力ディスク２８）は、ＨＭＶ６０７（ビッカース硬さ：マイクロビッカース硬度計による実測）とされ、湾曲制御面５３を有する係合凹部４２（クラッチディスク３８）は、ＨＭＶ６４８（ビッカース硬さ：マイクロビッカース硬度計による実測）とされており、硬度差として硬度の高い側の５％〜１０％程度の硬度差を設定している。
【００６７】
また、前述の如く入力ディスク２８の係合凸部３７に倣い面５１を設けると共にクラッチディスク３８の係合凹部４２に湾曲制御面５３を設けた構成とするに限らず、両者を逆転させた構成、すなわち、入力ディスク２８の係合凸部３７に湾曲制御面５３を設けると共にクラッチディスク３８の係合凹部４２に倣い面５１を設けた構成としてもよい。この場合であっても、前記倣い面５１を有する側（すなわち、係合凹部４２が形成されたクラッチディスク３８）よりも、前記湾曲制御面５３を有する側（すなわち、係合凸部３７が形成された入力ディスク２８）のほうが高い硬度に設定された構成とする。
【００６８】
また一方、クラッチディスク３８と係合ベース２０との間には、出力軸１２回りに巻き回されて出力軸１２の軸線方向に圧縮可能とされた弾性部材としてのコイルスプリング４４が配置されている。このコイルスプリング４４は、入力ディスク２８の係合凸部３７と、クラッチディスク３８の係合凹部４２との係合状態からのクラッチディスク３８の出力軸１２軸線方向他側（コイルスプリング４４の側）へ向けた軸線方向移動に対して、所定の抗力（クラッチディスク３８の軸線方向移動によって弾性変形された際の復元力）を付与するようになっている。
【００６９】
換言すれば、通常は、入力ディスク２８の係合凸部３７が、クラッチディスク３８の係合凹部４２に入り込むと共に、コイルスプリング４４はこの嵌入状態を維持しており、入力ディスク２８の係合凸部３７が、クラッチディスク３８の係合凹部４２から抜け出そうとしてクラッチディスク３８がコイルスプリング４４を圧縮する方向へ向けて軸線方向移動しようとすると、これに抗する付勢力（復元力）を発揮するように構成されている。
【００７０】
また、前述した如く、入力ディスク２８の係合凸部３７が、クラッチディスク３８の係合凹部４２にそれぞれ入り込むことで、入力ディスク２８からクラッチディスク３８へ回転力が伝達されるが、入力ディスク２８の係合凸部３７が、クラッチディスク３８の係合凹部４２から抜け出した状態でも（クラッチディスク３８が係合ベース２０の側へ向けて移動した状態でも）、前記コイルスプリング４４が発揮する付勢力（復元力）によって、入力ディスク２８の係合凸部３７と、クラッチディスク３８の裏面との間に所定の摩擦力が生じ、これにより、入力ディスク２８とクラッチディスク３８とが供回りするようにコイルスプリング４４の付勢力等が設定されている。
【００７１】
またここで、本実施の形態においては、前述の如く係合凸部３７と係合凹部４２との係合状態が離脱するまでの間において出力軸１２周りの回転トルクのピーク値が「７Ｎ・ｍ〜２０Ｎ・ｍ」の範囲となるように設定されている。
【００７２】
なお、通常状態（クラッチディスク３８が係合ベース２０の側へ向けて移動しようとしない状態）において、既にコイルスプリング４４が係合ベース２０とクラッチディスク３８との間で押圧力が付与されるように構成してもよく、あるいは、クラッチディスク３８が係合状態から係合ベース２０の側へ向けて移動したときだけに（係合凸部３７が、係合凹部４２から抜け出そうとした場合に）、コイルスプリング４４がこれに抗する付勢力（復元力）を発揮するように構成してもよい。
【００７３】
一方、図４及び図６に示す如く、ハウジング９６には、前述した係合ベース２０のストッパ部２６に対応して、ストッパ突起１４２が形成されている。
【００７４】
ストッパ突起１４２は円弧状に形成されており、ストッパ部２６の回転軌跡内に位置している。ストッパ突起１４２の周方向一端部及び周方向他端部は、それぞれ回転制限部１４４、回転制限部１４６とされている。すなわち、ストッパ突起１４２の回転制限部１４４及び回転制限部１４６は、それぞれストッパ部２６に当接可能となっており、ストッパ部２６がストッパ突起１４２の回転制限部１４４あるいは回転制限部１４６に当接した状態では、それ以上の係合ベース２０（出力軸１２）の回転が阻止される構成である。したがって、入力ディスク２８の回転駆動力によって、係合ベース２０（出力軸１２）がクラッチディスク３８と共に回転し、ストッパ部２６がストッパ突起１４２の回転制限部１４４あるいは回転制限部１４６に当接した後には、それ以後の係合ベース２０（出力軸１２）の回転が強制的に阻止されるため、入力ディスク２８が相対回転（空回り）する構成となっている（図１４及び図１５参照）。
【００７５】
さらに、入力ディスク２８によって往復回転駆動される出力軸１２には、ワイパ（図示省略）が直接的に連結されており、またはリンクやロッド等を介して間接的に連結されており、当該ワイパが出力軸１２の往復回転に伴って往復駆動する構成である。
【００７６】
次に、本実施の形態の作用を説明する。
【００７７】
上記構成のワイパモータ９０では、モータ本体９２（アーマチャ１０８）が回転すると、ウォームギヤ１２２を介してウォームホイール１２８へ回転力が伝達されてウォームホイール１２８が回転（本実施の形態では一方向へ連続回転）する。ウォームホイール１２８が回転すると、このウォームホイール１２８に連結されたセクタギヤ１３２が往復揺動され、このセクタギヤ１３２の往復揺動動作によって、入力ディスク２８が往復回転駆動される（図４乃至図７参照）。
【００７８】
ここで、通常の使用状態では、例えば図５及び図１４に示す如く、入力ディスク２８の係合凸部３７が、クラッチディスク３８の係合凹部４２と係合しており（互いに嵌り合っており）、しかも、この係合凸部３７と係合凹部４２の係合状態からクラッチディスク３８が出力軸１２軸線方向に移動しようとしてもコイルスプリング４４によって所定の抗力が付与されるので、前記係合状態が維持される。また、クラッチディスク３８は、出力軸１２に対して軸線周りに回転不能とされている。このため、入力ディスク２８が往復回転駆動されると、係合凸部３７及び係合凹部４２を介して入力ディスク２８からクラッチディスク３８へ回転駆動力が伝達されて、このクラッチディスク３８と一体で出力軸１２が回転される。
【００７９】
これにより、出力軸１２に連結されたワイパが出力軸１２の往復回転に伴って往復駆動する。
【００８０】
一方、例えば、ワイパを介して出力軸１２周りに過大外力（荷重）が作用すると、出力軸１２が逆転もしくは拘束されることになる。すると、出力軸１２と一体回転するクラッチディスク３８には、入力ディスク２８と相対回転する方向に回転力が作用する。ここで、入力ディスク２８の係合凸部３７とクラッチディスク３８の係合凹部４２とはそれぞれ断面形状が所謂略台形に形成されており、しかも、入力ディスク２８の係合凸部３７は倣い面５１を有し、またクラッチディスク３８の係合凹部４２は湾曲制御面５３を有しているため、入力ディスク２８とクラッチディスク３８との間の相対回転力によって、クラッチディスク３８に出力軸１２軸線方向に沿った（係合ベース２０へ向いた）分力が生じる。すなわち、入力ディスク２８とクラッチディスク３８との間の相対回転力の一部が、クラッチディスク３８を出力軸１２軸線方向に移動させて入力ディスク２８の係合凸部３７とクラッチディスク３８の係合凹部４２との係合を解除しようとする分力として作用する。この相対回転力（分力）が所定値以上となると、コイルスプリング４４により付与される抗力に打ち勝って、図８及び図１５に示す如く、クラッチディスク３８が出力軸１２軸線方向に強制的に移動されて前記係合状態が解除される（入力ディスク２８の係合凸部３７がクラッチディスク３８の係合凹部４２から抜け出して嵌合が解除される）。これにより、クラッチディスク３８すなわち出力軸１２は、入力ディスク２８に対して空転する（相対回転する）。
【００８１】
したがって、本ワイパモータ９０では、例えば、ワイパが回動範囲内での正規の停止位置において凍結して被払拭面に張り付いている状態、或いは正規の停止位置に位置するワイパの上に雪が積もって拘束された状態でモータ本体９２が作動され、出力軸１２に過大な負荷もしくは急激な負荷が作用した場合などは勿論のこと、ワイパの回動範囲内（正規の払拭範囲内）での作動途中においてワイパを介して出力軸１２に過大な外力が作用した場合（例えば、ワイパの払拭作動時に下側の反転位置以外の位置にあるワイパの上に屋根に堆積した積雪がガラス面に沿って落下してきた場合など）においても、クラッチ装置１０による空転によって、入力ディスク２８以降の駆動力伝達部品（セクタギヤ１３２、ウォームホイール１２８、ウォームギヤ１２２、モータ本体９２等の出力軸１２からアーマチャ１０８側に向けての構成）に過大な外力が作用することを防止できる。これにより、入力ディスク２８以降の前記各部品を保護することができ、前記各部品の損傷及びモータ本体９２の焼損等を防止することができる。
【００８２】
また、入力ディスク２８以降の各部品の強度設計を、入力ディスク２８とクラッチディスク３８との間の回転伝達力（クラッチ解除力）に基づいて設定すればよいため、上記過大な外力（荷重）の作用を想定した各部品の過剰な強度設定を行う必要がなくなり、安価な構成とすることができる。
【００８３】
またしかも、出力軸１２に連結された被駆動部材（ワイパ等）も、クラッチ装置１０による空転により衝撃が吸収されるので破損から保護することもできる。
【００８４】
また、本ワイパモータ９０のクラッチ装置１０では、入力ディスク２８は、揺動機構９４（ウォームギヤ１２２、ウォームホイール１２８、及びセクタギヤ１３２）によって減速往復回転駆動されるため、出力軸１２を大きなトルクで駆動することができ、出力軸１２に連結されたワイパを好適に往復駆動することができる。したがって、本ワイパモータ９０は、ワイパを介して出力軸１２周りに過大外力（荷重）が作用する（例えば、車両の屋根に堆積した積雪がガラス面に沿って略垂直落下してワイパアームに当たり大きな外力が当該ワイパモータ９０に作用する場合等）蓋然性が高い車両、例えばキャブオーバータイプのコックピットを有するトラックや建設機械用のワイパ駆動用モータとしても好適である。
【００８５】
またここで、クラッチ装置１０において入力ディスク２８とクラッチディスク３８との回転伝達が切り離される際、すなわち、係合凸部３７と係合凹部４２の噛合い係合が離脱解除される際には、入力ディスク２８とクラッチディスク３８とが完全に離脱するまでの間においては両者の相対移動ストロークが次第に大きくなり、それに伴いコイルスプリング４４の付勢力（押圧力）も次第に増大するため、係合凸部３７と係合凹部４２の噛合い係合部位における面圧力が増大して、過負荷作用開始時から完全離脱までの間で作動トルクも次第に上昇することになる。
【００８６】
この点、本実施の形態に係るワイパモータ９０のクラッチ装置１０では、湾曲制御面５３は、係合凸部３７と係合凹部４２との離脱方向に移動するにしたがい倣い面５１との接触位置における面圧力（図１３において、矢印Ｆにて示す）の回転伝達方向（図１３において、矢印Ｒにて示す）への分力（図１３において、矢印Ｆｂにて示す）が小さくなるよう曲率が徐変された湾曲面であるため、コイルスプリング４４の付勢力（押圧力）が増大しても接触位置Ｓにおける面圧力Ｆの回転伝達方向Ｒへの分力Ｆｂは次第に小さくなり、このため、結果的に過負荷作用開始時から完全離脱までの間における作動トルクの上昇が抑えられる。これにより、入力ディスク２８とクラッチディスク３８との離脱負荷（作動トルク）が安定する（設定時からの変化が小さくなる）。また同時に、係合凸部３７と係合凹部４２の相対移動ストロークの変化量、つまり付勢力（押圧力）の変化量が徐変するように形成された湾曲制御面５３（湾曲面）によって、当該相対移動ストロークの変化量（付勢力の変化量）は滑らかに減少するので、摩耗が低減して耐久性が向上する。
【００８７】
またしかも、ワイパモータ９０のクラッチ装置１０では、係合凸部３７と係合凹部４２とが出力軸１２の周方向に線接触で係合する係合面形状であるので、係合凸部３７と係合凹部４２とは湾曲制御面５３に倣って軸線方向に離脱する。そのため、湾曲制御面５３の湾曲形状を調整することにより入力ディスク２８とクラッチディスク３８とのクラッチ動作特性を設定でき、しかも、前述の如く湾曲制御面５３は、倣い面５１との接触位置における接線Ｓ１〜Ｓ３と出力軸１２の軸線に垂直な平面との成す角度が係合凸部３７と係合凹部４２との離脱方向に移動するにしたがい徐々に小さくなるよう形状設定されているため、係合凸部３７と係合凹部４２の相対移動ストロークの変化量、つまり付勢力（押圧力）の変化量が徐々に減少され、摩耗が少なく形状変化が小さいのでクラッチ動作特性の経時変化が小さいものとすることができる。
【００８８】
ここで、本実施の形態に係るワイパモータ９０のクラッチ装置１０の効果を説明するために、図１７には比較例としての係合凸部２００と係合凹部２０２の構成が図１３に対応した断面図にて示されている。なお、図１７においても、説明を解り易くするため、敢えて「ハッチング」を省略して示してある。
【００８９】
この係合凸部２００と係合凹部２０２では、互いに面接触する構成となっており（互いの接触面が断面視においても直線的に形成されており）、当該互いの接触面は出力軸１２の軸線に対し「７５°」傾斜して形成されている。
【００９０】
さらに、図１８には、係合凸部２００と係合凹部２０２の作動トルク特性（過負荷作用開始時から完全離脱までの間における移動ストロークに対する作動トルク値の変化）が、線図にて示されている。なお、出力軸１２にワイパアーム＆ブレードを取り付けた状態で、出力軸１２の軸線から２３ｃｍの位置におけるトルクを実測した。
【００９１】
この図１８にて明らかなように、係合凸部２００と係合凹部２０２の噛合い係合が離脱解除される際には、両者の相対移動ストロークが次第に大きくなり、それに伴いコイルスプリング４４の付勢力（押圧力）も次第に増大するため、係合凸部２００と係合凹部２０２の噛合い係合部位における面圧力が増大して摩擦力が増大し、特にストローク範囲Ａにおいては作動トルクも次第に上昇している（作動トルクが大きく変動している）ことが解る。すなわち、特にストローク範囲Ａにおいては、離脱負荷（作動トルク）が安定していない（設定時からの変化が大きくなっている）。またこのため、係合凸部２００と係合凹部２０２の噛合い係合部位における面圧力が増大するため、摩耗が増加して耐久性の低下が懸念される状況である。
【００９２】
これに対し、本実施の形態に係るワイパモータ９０のクラッチ装置１０では、前述の如き構成としたので、すなわち、湾曲制御面５３は、係合凸部３７と係合凹部４２との離脱方向に移動するにしたがい倣い面５１との接触位置における面圧力Ｆの回転伝達方向への分力Ｆｂが小さくなるよう曲率が徐変された湾曲面であるため、過負荷作用開始時から完全離脱までの間における作動トルクの上昇が抑えられ、フラットなトルク特性を得ることができる。
【００９３】
ここで、図１６には、前記図１８と同様に、係合凸部３７と係合凹部４２の作動トルク特性（過負荷作用開始時から完全離脱までの間における移動ストロークに対する作動トルク値の変化）が、線図にて示されている。なお、前記比較例の場合と同様の条件にて実測した。
【００９４】
この図１６にて明らかなように、係合凸部３７と係合凹部４２の噛合い係合が離脱解除される際には、両者の相対移動ストロークが次第に大きくなり、それに伴いコイルスプリング４４の付勢力（押圧力）も次第に増大するが、湾曲制御面５３は曲率が徐変された湾曲面であるため、コイルスプリング４４の付勢力（押圧力）が増大しても接触位置Ｓにおける面圧力Ｆの回転伝達方向Ｒへの分力Ｆｂは次第に小さくなり、結果的に過負荷作用開始時から完全離脱までの間における作動トルクの上昇が抑えられている（作動トルクがほとんど変動しない）ことが解る。すなわち、特にストローク範囲Ａにおいては、離脱負荷（作動トルク）が安定している（設定時からほとんど変化していない）。また、係合凸部３７と係合凹部４２の相対移動ストロークの変化量は滑らかに減少するので、摩耗が低減して耐久性が向上する。
【００９５】
またここで、本実施の形態においては、係合凸部３７の倣い面５１は、クラッチディスク３８（出力軸１２）の軸線に対し「５４．４°」傾斜して形成された例を示したが、当該傾斜角度θが大きいと、作動トルクのバラツキが大きくなるため、これを回避するには当該傾斜角度θは、クラッチ作動トルクに必要な動作角度の範囲内においてなるべく小さく設定することが好ましい。
【００９６】
またさらに、本実施の形態に係るワイパモータ９０のクラッチ装置１０では、係合凸部３７と係合凹部４２との係合状態が離脱するまでの間において出力軸１２周りの回転トルクのピーク値が「７Ｎ・ｍ〜２０Ｎ・ｍ」の範囲に設定されている。
【００９７】
ここで、係合凸部３７と係合凹部４２との係合状態が離脱するまでの間における出力軸１２周りの回転トルクが７Ｎ・ｍより小さいと、ウインドシールドガラス面が所謂セミドライ状態などワイパブレードの通常の払拭負荷にてクラッチが安易に切り離されてしまう恐れがあり、一方、前記回転トルクが２０Ｎ・ｍより大きいと揺動機構などの内部部品の強度をアップさせる必要があり、部材の低コスト化の妨げとなる。
【００９８】
この点、本実施の形態に係るワイパモータ９０のクラッチ装置１０では、前記回転トルクを好適な範囲に設定したため、前述の如き不具合が生じない。
【００９９】
さらに、本ワイパモータ９０では、セクタギヤ１３２の揺動中心軸１４０と出力軸１２とは、セクタギヤ１３２の厚さ方向一方側に設けられた保持レバー１３８によって連結されているので、セクタギヤ１３２の揺動中心軸１４０と出力軸１２との軸間距離（軸間ピッチ）が一定に維持される。しかも、セクタギヤ１３２の歯部１３６は、その厚さ方向の一方側の保持レバー１３８と、他方側（クラッチディスク３８側）の入力ディスク２８の連結壁３５とで厚さ方向両側が挟まれているので、セクタギヤ１３２の厚さ方向両側に保持部材（保持レバー）がなくとも、セクタギヤ１３２の厚さ方向に沿ったギヤ歯１３６と歯部３４との噛合い代が維持される（セクタギヤ１３２の厚さ方向への噛合い外れが防止される）。これにより、セクタギヤ１３２と入力ディスク２８との良好な噛合い状態を維持することができる。
【０１００】
また、このワイパモータ９０では、複数の突条が形成された出力軸１２の回止部１６に係合ベース２０（大径部）が固着されて一体化されており、特に軸線周りの回転方向に対しては強固に固着されている。一方、入力ディスク２８は出力軸１２の抜止部１８によって抜止め状態とされており、さらに、出力軸１２の相対回転規制部１４（すなわち、係合ベース２０と入力ディスク２８との間）に、クラッチディスク３８が軸線方向に移動可能に支持されている。すなわち、何れの部品も出力軸１２を基準に取り付けられた構成であり、係合ベース２０と入力ディスク２８との間の一定スペース（一定寸法）にクラッチディスク３８及びコイルスプリング４４が設けられた構成である。したがって、前述した如きクラッチディスク３８の軸線方向移動に要する力（クラッチ解除力）の設定を容易に行うことができる。
【０１０１】
またさらに、本ワイパモータ９０では、弾性部材をコイルスプリング４４としたため、バネ特性が安定的である。すなわち、例えば、弾性部材をゴム部材とした場合、クラッチ装置１０に塗布されたグリス等が当該ゴム部材に付着して劣化する恐れがあるが、コイルスプリング４４の場合には、グリス等の付着による劣化の恐れがなくバネ特性が安定的である。
【０１０２】
しかも、このコイルスプリング４４は、出力軸１２回りに巻き回されると共に、出力軸１２の径方向に大径とされた軸方向移動不能な係合ベース２０と、クラッチディスク３８との間に配置された構成である。このため、クラッチディスク３８を入力ディスク２８に対して安定的に押圧できると共に安定的な抗力を付与できる。すなわち、コイルスプリング４４の弾性力は、クラッチディスク３８によって入力ディスク２８とクラッチディスク３８との係合部分に一様に分布される。したがって、入力ディスク２８とクラッチディスク３８との係合状態が安定し、入力ディスク２８とクラッチディスク３８との間（係合凸部３７と係合凹部４２との間）の回転伝達力（クラッチ解除力）の値も安定する。これにより、前記クラッチ解除力の値をより好適に設定することができるので、ワイパモータ９０の各構成部材をより確実に保護することができる。
【０１０３】
また、本ワイパモータ９０では、出力軸１２に支持された入力ディスク２８は、連結壁２５を介してギヤ歯３４とは反対側の外周が円周面３６とされており、この円周面３６がハウジング９６に固定された軸受部材５２に回転可能に保持（支持）されている。すなわち、このワイパモータ９０では、セクタギヤ１３２から荷重が入力される入力ディスク２８が、直接ハウジング９６の軸受部材５２に支持された構成である。したがって、入力ディスク２８の支持剛性が向上し、これによっても、入力ディスク２８とセクタギヤ１３２との噛合い状態が安定する。しかも、出力軸１２は、その基端部が入力ディスク２８を介してハウジング９６（軸受部材５２）に支持された構成である。このため、出力軸１２の基端部をハウジング９６に支持するための特別なスペースが不要（入力ディスク２８の設置スペースと出力軸１２基端部の支持スペースが共通）であると共に、出力軸１２の基端部側を支持する軸受部材５２と、出力軸１２の先端側を支持する軸受部材５０との出力軸１２軸線方向に沿った距離寸法を長く確保できる。これにより、出力軸１２のハウジング９６に対する支持剛性も向上する。
【０１０４】
さらに、本ワイパモータ９０では、入力ディスク２８およびクラッチディスク３８の両方が、粉末合金を成型した焼結金属であるので、これらの部材を粉末冶金法により高精度に製造でき、しかも材料の歩留まりがよい。さらに、焼結金属とされた入力ディスク２８及びクラッチディスク３８は、該焼結金属内に潤滑油を含油しているので、互いに係合する部位（係合凸部３７及び係合凹部４２など）に自己潤滑性を持たせることができると共に、セクタギヤ１３２の歯部１３６と係合する入力ディスク２８のギヤ歯３４、及び回転を支持する軸受部材５２にも自己潤滑性を持たせることができ、好適である。
【０１０５】
またさらに、本ワイパモータ９０では、入力ディスク２８の各係合凸部３７とクラッチディスク３８の各係合凹部４２は、それぞれ入力ディスク２８及びクラッチディスク３８の周方向に沿って等間隔にならないように（隣接する間隔がそれぞれ異なるように）設けられており、各係合凸部３７が各係合凹部４２から抜け出したクラッチ解除状態においても、クラッチディスク３８は、少なくとも３個の係合凸部３７を介して入力ディスク２８に係合するので（３点支持状態となるので）、クラッチ解除状態におけるクラッチディスク３８と入力ディスク２８との係合状態が安定する。
【０１０６】
しかも、入力ディスク２８とクラッチディスク３８（出力軸１２及びワイパ）とは、周方向に沿った相対位置関係が所定の一位置にあるときにのみ係合可能とされている。このため、各係合凸部３７が各係合凹部４２から抜け出したクラッチ解除状態（入力ディスク２８とクラッチディスク３８が所定の一位置以外の相対位置関係にあるとき）において、例えば、乗員等が手動によりワイパを回動させれば、必ず所定の一位置にて入力ディスク２８とクラッチディスク３８とが係合する。したがって、クラッチディスク３８（出力軸１２及びワイパ）を、入力ディスク２８に対して元のセット状態（初期設定状態）に容易かつ迅速に復帰させることができると共に、ワイパ装置を破損させることなく再度作動させることができる。
【０１０７】
またここで、前述の如きクラッチ装置１０においては、係合凸部３７と係合凹部４２とが係合状態で回転力を伝達しているとき及び噛合係合が離脱しようとして動作しているとき、係合凸部３７と係合凹部４２との（倣い面５１と湾曲制御面５３との）接触部分には回転方向の力が作用している。このとき、例えば、係合凸部３７及び係合凹部４２の各々の周方向両端縁が平行な形状に形成されている場合には、径方向外側に比べて径方向内側の方が高い面圧となり、偏摩耗が生じる要因となる。
【０１０８】
これに対して、本実施の形態に係るクラッチ装置１０では、図１２に示すように、入力ディスク２８の係合凸部３７と、クラッチディスク３８の係合凹部４２とは、それぞれ周方向端縁（側壁部分）が、各部材軸線（出力軸１２の軸線）を通る径方向直線上に一致した形状（すなわち、扇状に径方向外側へ開いた形状）に形成されているため、係合凸部３７と係合凹部４２との接触部分のうち径方向内側と径方向外側とで一様な面圧となる（摺動によるヘルツ接触面圧が軽減する）。したがって、当該部位の偏摩耗を防止することができ、耐摩耗性が向上する。
【０１０９】
また、このワイパモータ９０では、通常の使用状態（回転状態）においては、前述の如くクラッチ装置１０の入力ディスク２８から出力軸１２への回転駆動力の伝達に際し、入力ディスク２８の係合凸部３７とクラッチディスク３８の係合凹部４２との係合状態維持のために、クラッチディスク３８の前記係合状態からの軸線方向移動に対して付与されるコイルスプリング４４による抗力が、摺動摩擦力として無駄に消費されることがない。したがって、回転伝達効率の低下を防止できる。また、部材の摺動を発生させることなく回転駆動力を伝達することができるため、部材の摺動に伴う異音の発生も防止される。
【０１１０】
またしかも、前述の如く、係合凸部３７と係合凹部４２との係合状態維持のために当該係合状態からのクラッチディスク３８の軸線方向移動に対して付与されるコイルスプリング４４による抗力は、出力軸１２に固定された係合ベース２０と、出力軸１２に対して軸線方向一側へ抜止め状態で支持された入力ディスク２８とで受け止められる。すなわち、出力軸１２に取り付けられた２つの構成部品（係合ベース２０と入力ディスク２８）によって、前記係合状態維持のための力が受け止められる。すなわち、本ワイパモータ９０のクラッチ装置１０は、「出力軸１２のサブアッセンブリ」として完結する構成のものであり、ハウジング９６などの他の部品等に依存して完結する構成のものでない。したがって、このクラッチ装置１０を、「出力軸１２サブアッセンブリ」とした１つの部品として取扱いができる。
【０１１１】
さらにここで、このワイパモータ９０のクラッチ装置１０では、前述の如く、入力ディスク２８の係合凸部３７がクラッチディスク３８の係合凹部４２に入り込むことで、入力ディスク２８からクラッチディスク３８へ回転力が伝達される構成としたので、入力ディスク２８とクラッチディスク３８との間の駆動力の伝達をより確実に行うことができ、各部品の損傷や入力ディスク２８に接続された駆動力伝達部品の損傷等を防止することができ、過大な外力（荷重）の作用を想定した各部品の強度設定を行う必要がなくなるが、更に加えて、クラッチ動作の設定負荷変動が長期に渡り安定する。
【０１１２】
すなわち、ワイパを介して出力軸１２に過大外力（荷重）が作用してクラッチディスク３８すなわち出力軸１２が入力ディスク２８に対して空転する際において、入力ディスク２８とクラッチディスク３８（係合凸部３７と係合凹部４２）とは、前記倣い面５１を有する側（すなわち、係合凸部３７が形成された入力ディスク２８）よりも、前記湾曲制御面５３を有する側（すなわち、係合凹部４２が形成されたクラッチディスク３８）のほうが高い硬度となるように焼結金属材料にて構成されているので、係合凸部３７と係合凹部４２との（倣い面５１と湾曲制御面５３との）離脱が繰り返された場合には、湾曲制御面５３を有する側の摩耗は、倣い面５１を有する側の摩耗よりも少なく（摩耗進行が遅い）ため、本実施の形態においては、係合凸部３７と係合凹部４２のうち湾曲制御面５３を有する係合凹部４２は、設定当初の凹部形状からの変化が小さい。すなわち、係合凹部４２の湾曲制御面５３は、その湾曲面の形状が維持され、係合凸部３７の倣い面５１とは前記線接触による係合状態が維持される。
【０１１３】
また、係合凸部３７の倣い面５１は、所定の傾斜角度θをクラッチ作動トルクに必要な動作角度の範囲内においてなるべく小さな角度とすることで、クラッチ作動トルクの設定時からの変動が長期に渡り安定する（バラツキが小さくなる）。
【０１１４】
また、湾曲制御面５３は、係合凹部４２の台形状左右両側（回転周方向両側）に形成されているので、出力軸１２の正転および逆転方向の両方向において上記湾曲制御面５３の各作用効果を得ることができる。
【０１１５】
以上説明した如く、本実施の形態に係るワイパモータ９０（クラッチ装置１０）では、入力ディスク２８とクラッチディスク３８との離脱負荷（作動トルク）が安定し（設定時からの変化が小さくなり）、摩耗が低減して耐久性が向上する、という効果を奏するものである。
【０１１６】
なお、上記実施の形態においては、クラッチ装置１０を構成する入力ディスク２８とクラッチディスク３８において、入力ディスク２８に係合凸部３７が設けられると共にクラッチディスク３８に係合凹部４２が設けられた構成としたが、これに限らず、入力ディスク２８に係合凹部４２を設けると共にクラッチディスク３８に係合凸部３７を設けた構成としてもよい。
【図面の簡単な説明】
【０１１７】
【図１】本発明の実施の形態に係るワイパモータの構成を示す斜視図である。
【図２】本発明の実施の形態に係るワイパモータの構成を示す一部を透視した斜視図である。
【図３】本発明の実施の形態に係るワイパモータの構成を示す分解斜視図である。
【図４】本発明の実施の形態に係るワイパモータの構成を示す平断面図である。
【図５】本発明の実施の形態に係るワイパモータの構成を示す図４の５−５線に沿った断面図である。
【図６】本発明の実施の形態に係るワイパモータの構成を示す平断面図である。
【図７】本発明の実施の形態に係るワイパモータの構成を示す図６の７−７線に沿った断面図である。
【図８】本発明の実施の形態に係るワイパモータの構成を示し、クラッチ解除状態における図７に対応した図面である。
【図９】本発明の実施の形態に係るワイパモータの構成部材であるクラッチ装置の構成を示す分解斜視図である。
【図１０】本発明の実施の形態に係るワイパモータの構成部材であるクラッチ装置の構成を示す分解斜視図である。
【図１１】本発明の実施の形態に係るワイパモータの構成部材である揺動機構及びクラッチ装置の部分的な構成を示す断面図である。
【図１２】本発明の実施の形態に係るワイパモータの構成部材であるクラッチ装置のクラッチディスクに設けられた係合凹部の形状及び配置状態を示すクラッチディスクの裏面図である。
【図１３】本発明の実施の形態に係るワイパモータの構成部材であるクラッチ装置の入力ディスクに設けられた係合凸部及びクラッチディスクに設けられた係合凹部の構成を示す断面図である。
【図１４】本発明の実施の形態に係るワイパモータの構成部材である揺動機構及びクラッチ装置を含む周辺部品の構成を示し、クラッチ連結状態を示す斜視図である。
【図１５】本発明の実施の形態に係るワイパモータの構成部材である揺動機構及びクラッチ装置を含む周辺部品の構成を示し、クラッチ解除状態を示す斜視図である。
【図１６】本発明の実施の形態に係るワイパモータのクラッチ装置における作動トルク特性を示す線図である。
【図１７】比較例に係るクラッチ装置の係合凸部及び係合凹部の構成を示す断面図である。
【図１８】比較例に係るクラッチ装置における作動トルク特性を示す線図である。
【符号の説明】
【０１１８】
１０・・クラッチ装置、１２・・出力軸、２０・・係合ベース（大径部）、２８・・入力ディスク、３７・・係合凸部、３８・・クラッチディスク、４２・・係合凹部、４４・・コイルスプリング（弾性部材）、５１・・倣い面、５３・・湾曲制御面、９０・・ワイパモータ、９４・・揺動機構、９６・・ハウジング
【図１】
2006308026.tif 000003
【図２】
2006308026.tif 000004
【図３】
2006308026.tif 000005
【図４】
2006308026.tif 000006
【図５】
2006308026.tif 000007
【図６】
2006308026.tif 000008
【図７】
2006308026.tif 000009
【図８】
2006308026.tif 000010
【図９】
2006308026.tif 000011
【図１０】
2006308026.tif 000012
【図１１】
2006308026.tif 000013
【図１２】
2006308026.tif 000014
【図１３】
2006308026.tif 000015
【図１４】
2006308026.tif 000016
【図１５】
2006308026.tif 000017
【図１６】
2006308026.tif 000018
【図１７】
2006308026.tif 000019
【図１８】
2006308026.tif 000020